(57)【要約】【課題】複数の液晶パネルで表示画面を構成する場合においても電位差による表示不良を実質的に抑制可能な新たな技術を提供する。【解決手段】液晶表示装置（１）は、液晶パネル（１０）と制御部（２０）とを含む。制御部（２０）は、対向電極への印加電圧の複数の設定値を記憶している。当該設定値は、液晶パネル（１０）の一部位である基準部に対して離れた部分に輝度のばらつきが現れる上記印加電圧の値である。【選択図】図１
2019070770.tif 000002
【特許請求の範囲】
【請求項１】
画素電極および対向電極を有する液晶パネルと、
前記対向電極への印加電圧の複数の設定値を記憶するための記憶部と、
前記複数の設定値から選択された前記設定値の電圧を前記対向電極に印加するための駆動部と、を含み、
前記設定値は、前記液晶パネルの一部位を基準としたときの前記対向電極への電圧の印加による前記液晶パネルにおける輝度のばらつきが前記液晶パネルにおける前記一部位から離れた端部または側部に現れる前記印加電圧の値である、
液晶表示装置。
【請求項２】
前記設定値は、
前記液晶パネルの中心部を基準としたときの前記輝度のばらつきが前記液晶パネルの両端部に現れる第一の設定値と、
前記液晶パネルの一端部の中心部を基準としたときの前記輝度のばらつきが前記液晶パネルの他端部に現れる第二の設定値と、
前記液晶パネルの他端部の中心部を基準としたときの前記輝度のばらつきが前記液晶パネルの一端部に現れる第三の設定値と、
前記液晶パネルの一側部の中心部を基準としたときの前記輝度のばらつきが前記液晶パネルの他側部に現れる第四の設定値と、
前記液晶パネルの他側部の中心部を基準としたときの前記輝度のばらつきが前記液晶パネルの一側部に現れる第五の設定値と、
を含む、請求項１に記載の液晶表示装置。
【請求項３】
前記対向電極は、共通電極である、請求項１または２に記載の液晶表示装置。
【請求項４】
入力される信号に基づいて前記設定値の一つを選択するための演算部をさらに有する、請求項１から３のいずれか一項に記載の液晶表示装置。
【請求項５】
前記入力される信号は、前記液晶パネルが構成すべき画面における前記液晶パネルの位置を表す信号を含む、請求項４に記載の液晶表示装置。
【請求項６】
前記入力される信号は、前記設定値を選択させるコマンドを含む、請求項４または５に記載の液晶表示装置。
【請求項７】
請求項４から６のいずれか一項に記載の前記液晶表示装置と、
前記液晶表示装置に前記入力される信号を送るための中央処理装置と、
を有する電子装置。
【発明の詳細な説明】
【技術分野】
【０００１】
本発明は、液晶表示装置およびそれを有する電子装置に関する。
【背景技術】
【０００２】
パーソナルコンピュータなどの電子装置は、液晶表示装置を有している。当該液晶表示装置には、例えば、走査信号配線、画像信号配線、スイッチング素子（主にＴＦＴ）をマトリックス状に配置したアクティブマトリックス液晶表示装置が知られている。このような液晶表示装置は、例えば上記電子装置における作業性の向上の観点から、その表示画面の大型化が求められている。
【０００３】
上記表示画面の大型化に伴い、当該液晶表示装置では、画像の表示特性が表示画面内で変化することがある。この問題は、信号波形のなまりによって画素電位中心が走査信号の入力端と終端とで変化してしまい、対向電極電位に対する画素電位の対称性が崩れるために生じることが知られている。上記問題への対応策として、上記液晶表示装置において、走査信号の入力端と終端との間に対応する電圧、例えば対向基板への印加電圧または画像信号電圧の中心、に傾斜を持たせるように構成することが知られている（例えば、特許文献１参照）。
【先行技術文献】
【特許文献】
【０００４】
【特許文献１】特開２００２−０９１３９１号公報（２００７年３月２７日公開）
【発明の概要】
【発明が解決しようとする課題】
【０００５】
一方で、上記の問題への他の対応策として、液晶パネルの中央部に比べるとその端部での上記画像の表示特性が相対的に低くなるように、表示画面の中央部での画像表示を基準として対向電極の印加電圧を最適化することが考えられる。この場合、液晶パネルの中央部では十分に良好に画像が表示され、液晶パネルの端部では、上記中央部に比べると上記表示特性の低さによる輝度のばらつきなどの表示不良が生じることがある。しかしながら、この表示不良は、一般に、表示される画像の主要な部分に含まれない。よって、上記他の対応策によっても、上記表示特性の低下を実質的に抑制することが可能である。
【０００６】
他方で、上記電子装置における上記表示画面の大型化は、二枚または四枚などの複数の液晶パネルで当該電子装置の表示画面を構成することによって実現することができる。このとき、上記表示画面は、上記複数の液晶パネルのうちの一部、例えば一枚の液晶パネルまたは二枚以上の液晶パネルの集合による複数の画面として構成されることがあり、また、全ての液晶パネルによる一画面として構成されることがある。
【０００７】
複数の液晶パネルに亘って上記画像が表示される場合には、表示される画像の中央部などの当該画像の主要な部分に液晶パネルの端部が位置することがある。このため、上記他の対応策では、上記画像の主要な部分に上記表示不良が発生することがある。
【０００８】
本発明の一態様は、複数の液晶パネルで表示画面を構成する場合においても電位差による表示不良を実質的に抑制可能な新たな技術を提供することを目的とする。
【課題を解決するための手段】
【０００９】
上記の課題を解決するために、本発明の第一の態様に係る液晶表示装置は、画素電極および対向電極を有する液晶パネルと、上記対向電極への印加電圧の複数の設定値を記憶するための記憶部と、上記複数の設定値から選択された上記設定値の電圧を上記対向電極に印加するための駆動部と、を含み、上記設定値は、上記液晶パネルの一部位を基準としたときの上記対向電極への電圧の印加による上記液晶パネルにおける輝度のばらつきが上記液晶パネルにおける上記一部位から離れた端部または側部に現れる上記印加電圧の値である。
【００１０】
また、上記の課題を解決するために、本発明の第二の態様に係る電子装置は、上記液晶表示装置と、当該液晶表示装置に上記入力される信号を送るための中央処理装置と、を有する。
【発明の効果】
【００１１】
本発明の上記の態様によれば、複数の液晶パネルで表示画面を構成する場合においても電位差による表示不良を実質的に抑制することができる。
【図面の簡単な説明】
【００１２】
【図１】図１の（ａ）は、本発明の実施形態１に係る液晶表示装置を模式的に示す正面図であり、図１の（ｂ）は、上記液晶表示装置を模式的に示す側面図であり、図１の（ｃ）は、上記液晶表示装置を模式的に示す背面図である。
【図２】図２の（ａ）は、上記実施形態１における第一から第五の基準点の位置を模式的に示す図であり、図２の（ｂ）は、第一の設定値の電圧を対向電極に印加したときの輝度のばらつきの発生箇所を模式的に示す図であり、図２の（ｃ）は、第二の設定値の電圧を対向電極に印加したときの輝度のばらつきの発生箇所を模式的に示す図であり、図２の（ｄ）は、第三の設定値の電圧を対向電極に印加したときの輝度のばらつきの発生箇所を模式的に示す図であり、図２の（ｅ）は、第四の設定値の電圧を対向電極に印加したときの輝度のばらつきの発生箇所を模式的に示す図であり、図２の（ｆ）は、第五の設定値の電圧を対向電極に印加したときの輝度のばらつきの発生箇所を模式的に示す図である。
【図３】図３の（ａ）は、本発明の実施形態１に係る電子装置の主な構造を模式的に示す図であり、図３の（ｂ）は、上記電子装置における主なブロック間の関係を模式的に示すブロック図である。
【図４】図４の（ａ）は、本発明の実施形態１に係る電子装置における画像の第一の表示例を模式的に示す図であり、図４の（ｂ）は、上記電子装置における画像の第二の表示例を模式的に示す図である。
【図５】図５の（ａ）は、本発明の実施形態２に係る電子装置の主な構造を模式的に示す図であり、図５の（ｂ）は、上記電子装置における主なブロック間の関係を模式的に示すブロック図である。
【図６】図６の（ａ）は、本発明の実施形態２に係る電子装置における画像の第一の表示例を模式的に示す図であり、図６の（ｂ）は、上記電子装置における画像の第二の表示例を模式的に示す図であり、図６の（ｃ）は、上記電子装置における画像の第三の表示例を模式的に示す図である。
【図７】図７の（ａ）は、本発明の実施形態３に係る電子装置の主な構造を模式的に示す図であり、図７の（ｂ）は、上記電子装置の第一の構造例を模式的に示す図であり、図７の（ｃ）は、上記電子装置の第二の構造例を模式的に示す図である。
【図８】図８の（ａ）は、本発明の実施形態３に係る電子装置における画像の第一の表示例を模式的に示す図であり、図８の（ｂ）は、上記電子装置における画像の第二の表示例を模式的に示す図である。
【発明を実施するための形態】
【００１３】
〔実施形態１〕
以下、本発明の一実施形態について、詳細に説明する。図１の（ａ）は、本発明の実施形態１に係る液晶表示装置を模式的に示す正面図であり、図１の（ｂ）は、上記液晶表示装置を模式的に示す側面図であり、図１の（ｃ）は、上記液晶表示装置を模式的に示す背面図である。
【００１４】
液晶表示装置１は、図１に示されるように、液晶パネル１０と制御部２０とを有している。液晶パネル１０は、画素電極および対向電極を有している。対向電極は、例えば、液晶層を挟んで画素電極に対向して一律に配置される共通電極である。また、液晶パネル１０は、公知の液晶パネルでよく、例えばツイステッドネマティック（ＴＮ）液晶パネルである。
【００１５】
制御部２０は、記憶部、駆動部および演算部を含む。これらは、液晶表示装置における公知の技術によって実現することが可能である。上記記憶部は、上記対向電極への印加電圧の複数の設定値を記憶する部分であり、例えば、コンピュータで通常使用される記憶装置（メモリ）によって構成される。上記演算部は、後述する入力信号に基づいて下記第一の設定値から第五の設定値のうちの一つを選択する部分であり、例えば、コンピュータで通常使用されるプロセッサによって構成されている。上記駆動部は、上記複数の設定値から選択された上記設定値の電圧を上記対向電極に印加する部分であり、例えば、液晶表示装置における公知の電力供給装置によって構成される。
【００１６】
上記設定値は、本実施形態１の上記液晶パネルにおける一部位を基準としたときの上記対向電極への電圧の印加による上記液晶パネルにおける輝度のばらつきが上記液晶パネルにおける上記一部位から離れた端部または側部に現れる上記印加電圧の値である。以下、基準となる上記一部位を「基準点」とも言う。上記設定値は、例えば、第一から第五の設定値を含む。
【００１７】
図２の（ａ）は、本実施の形態における第一から第五の基準点の位置を模式的に示す図である。第一の基準点１１Ａは、液晶パネル１０の中心部である。第二の基準点１１Ｂは、液晶パネル１０の一端部（紙面に対して左側）の中心部である。第三の基準点１１Ｃは、液晶パネル１０の他端部（紙面に対して右側）の中心部である。第四の基準点１１Ｄは、液晶パネル１０の一側部（紙面に対して上側）の中心部である。第五の基準点１１Ｅは、液晶パネル１０の他側部（紙面に対して下側）の中心部である。なお、以下、液晶パネルおよび表示画面について、図面の紙面に対して左側を一端、右側を他端、上側を一側、下側を他側、と言う。
【００１８】
図２の（ｂ）は、第一の設定値の電圧を対向電極に印加したときの輝度のばらつきの発生箇所を模式的に示す図である。上記第一の設定値は、一定の電圧を上記対向電極に印加したときに第一の基準点１１Ａで最適の画像を表示可能な電圧の値である。第一の設定値は、例えば、対向電極に印加される電圧の値であって、第一の基準点１１Ａでの輝度のばらつきが最小となる上記電圧の値である。上記第一の設定値は、公知の方法によって求めることができ、例えば、実機に基づく実測値であってもよいし、コンピュータシミュレーションによる計算値であってもよい。
【００１９】
上記第一の設定値で上記対向電極に電圧を印加する場合では、液晶パネル１０の両端部に、輝度ばらつき部１２Ａが現われる。輝度ばらつき部１２Ａは、第一の設定値の電圧を上記対向電極に印加したときに、輝度のばらつきが所定の値以上となる部分またはその可能性がある部分である。当該所定の値は、液晶パネル１０に求められる液晶の表示品質に応じて適宜に決めることが可能である。上記所定の値も、公知の方法によって決めることが可能であり、例えば、実機に基づく実測値であってもよいし、コンピュータシミュレーションによる計算値であってもよい。上記第一の設定値の電圧の印加による輝度ばらつき部１２Ａは、液晶パネル１０の両端部に現れる。より具体的には、輝度ばらつき部１２Ａは、液晶パネル１０の両端部の中心部から両側部に向けて、液晶パネル１０の両端縁に沿って分布する。
【００２０】
図２の（ｃ）は、第二の設定値の電圧を対向電極に印加したときの輝度のばらつきの発生箇所を模式的に示す図である。上記第二の設定値は、上記第一の設定値と同様に、一定の電圧を上記対向電極に印加したときに第二の基準点１１Ｂで最適の画像を表示可能な電圧の値であり、上記第一の設定値と同様の方法で求めることができる。上記第二の設定値の電圧の印加による輝度ばらつき部１２Ｂは、液晶パネル１０の他端部、より具体的には液晶パネル１０の他端側の中心部、に分布する。
【００２１】
図２の（ｄ）は、第三の設定値の電圧を対向電極に印加したときの輝度のばらつきの発生箇所を模式的に示す図である。上記第三の設定値も、上記第一の設定値と同様に、一定の電圧を上記対向電極に印加したときに第三の基準点１１Ｃで最適の画像を表示可能な電圧の値であり、上記第一の設定値と同様の方法で求めることができる。上記第三の設定値の電圧の印加による輝度ばらつき部１２Ｃは、液晶パネル１０の一端部、より具体的には液晶パネル１０の一端側の中心部、に分布する。
【００２２】
図２の（ｅ）は、第四の設定値の電圧を対向電極に印加したときの輝度のばらつきの発生箇所を模式的に示す図である。上記第四の設定値も、上記第一の設定値と同様に、一定の電圧を上記対向電極に印加したときに第四の基準点１１Ｄで最適の画像を表示可能な電圧の値であり、上記第一の設定値と同様の方法で求めることができる。上記第四の設定値の電圧の印加による輝度ばらつき部１２Ｄは、液晶パネル１０の他側部、より具体的には液晶パネル１０の他側部の中心部から両端部に向けて、他側縁に沿って分布する。
【００２３】
図２の（ｆ）は、第五の設定値の電圧を対向電極に印加したときの輝度のばらつきの発生箇所を模式的に示す図である。上記第五の設定値も、上記第一の設定値と同様に、一定の電圧を上記対向電極に印加したときに第五の基準点１１Ｅで最適の画像を表示可能な電圧の値であり、上記第一の設定値と同様の方法で求めることができる。上記第五の設定値の電圧の印加による輝度ばらつき部１２Ｅは、液晶パネル１０の一側部、より具体的には液晶パネル１０の一側部の中心部から両端部に向けて、一側縁に沿って分布する。
【００２４】
図３の（ａ）は、本実施形態１に係る電子装置の主な構造を模式的に示す図であり、図３の（ｂ）は、上記電子装置における主なブロック間の関係を模式的に示すブロック図である。
【００２５】
電子装置１００は、図３の（ａ）および図３の（ｂ）に示されるように、表示画面１１０と中央処理装置（ＣＰＵ）１２０とを有している。電子装置１００は、例えば、ノート型のパーソナルコンピュータ（ＰＣ）である。表示画面１１０は、二つの並列に配置された液晶表示装置１Ａ、１Ｂによって構成されている。液晶表示装置１Ａ、１Ｂは、いずれも、前述した液晶表示装置１と同じであり、前述した第一から第五の設定値を有している。
【００２６】
ＣＰＵ１２０は、画像の表示に際して、液晶表示装置１Ａ、１Ｂのそれぞれに、画像の表示に係る信号（以下、「画像入力信号」とも言う）を入力する。当該画像入力信号は、例えば、上記液晶パネルが構成すべき画面における上記液晶パネルの位置を表す信号を含む。また、上記画像入力信号は、例えば、画像の信号とともに、当該画像を表示すべき液晶表示装置を指定する信号を含む。
【００２７】
以下、電子装置１００における画像の表示形態を説明する。図４の（ａ）は、電子装置１００における画像の第一の表示例を模式的に示す図であり、図４の（ｂ）は、電子装置１００における画像の第二の表示例を模式的に示す図である。
【００２８】
図４の（ａ）に示されるように液晶表示装置１Ａ、１Ｂの両方を一画面として画像を表示する場合では、ＣＰＵ１２０は、液晶表示装置１Ａ、１Ｂのそれぞれに上記画像入力信号として送信する。当該画像入力シングは、液晶表示装置１Ａ、１Ｂの表示画面１１０における位置を表す信号と、液晶表示装置１Ａ、１Ｂの両方を一画面として画像１３０を表示する旨の信号とを含む。画像１３０は、例えば、絵の画像である。
【００２９】
液晶表示装置１Ａ、１Ｂの制御部２０は、上記画像入力信号を受けて、上記第一の設定値から第五の設定値の中から最適な設定値を決める。たとえば、制御部２０は、表示画面１１０に表示されるべき一以上の画像の中心に対して、第一の基準点１１Ａから第五の基準点１１Ｅのうち、十分に近い距離にある基準点を決定する。そして、制御部２０は、決定した基準点に対応する設定値を、その液晶表示装置１Ａ、１Ｂの上記設定値として決定する。
【００３０】
液晶表示装置１Ａでは、制御部２０は、画像１３０の中心に十分に近い第三の基準点１１Ｃを選択し、液晶パネル１０の対向電極に、上記第三の設定値の電圧を印加してその液晶パネル１０に画像１３０の半分（紙面に対して左半分）を表示する。液晶表示装置１Ｂでは、制御部２０は、画像１３０の中心に十分に近い第二の基準点１１Ｂを選択し、液晶パネル１０の対向電極に、上記第二の設定値の電圧を印加してその液晶パネル１０に画像１３０の半分（紙面に対して右半分）を表示する。
【００３１】
図４の（ａ）に示されるように、画像１３０は、表示画面１１０の中央部に形成される。液晶表示装置１Ａにおける輝度ばらつき部１２Ｃは、表示画面１１０の一端部に位置し、液晶表示装置１Ｂにおける輝度ばらつき部１２Ｂは、表示画面１１０の他端部に位置する。
【００３２】
なお、輝度ばらつき部１２Ｂ、１２Ｃは、通常、上記第二、第三の設定値を決めたときの輝度ばらつき部１２Ｂ、１２Ｃと同程度であり、同じでなくてよい。たとえば実際に画像を表示しているときの輝度ばらつき部１２Ｂ、１２Ｃの大きさ、形および輝度からなる群から選ばれる一以上は、対応する設定値を決めたときのそれらと同じであってもよいし、異なっていてもよい。
【００３３】
このように、表示画面１１０では、画像１３０に対して十分に離れた位置に輝度ばらつき部１２Ｂ、１２Ｃが位置する。このため、表示画面１１０の中央部への画像１３０の表示において、対向電極への電圧の印加による輝度のばらつきの表示不良が実用上問題とならない。
【００３４】
図４の（ｂ）に示されるように液晶表示装置１Ａ、１Ｂのそれぞれに二つの独立した画像を表示する場合では、ＣＰＵ１２０は、上記画像入力信号として送信する。当該画像入力信号は、液晶表示装置１Ａ、１Ｂの表示画面１１０における位置を表す信号と、液晶表示装置１Ａには画像１３０を表示する旨の信号と、液晶表示装置１Ｂには画像１４０をそれぞれ表示する旨の信号とを含む画像１４０は、例えば表の画像である。
【００３５】
液晶表示装置１Ａでは、制御部２０は、画像１３０の中心に十分に近い第一の基準点１１Ａを選択し、液晶パネル１０の対向電極に、上記第一の設定値の電圧を印加してその液晶パネル１０に画像１３０を表示する。液晶表示装置１Ｂでは、制御部２０は、画像１４０の中心に十分に近い第一の基準点１１Ａを選択し、液晶パネル１０の対向電極に、上記第一の設定値の電圧を印加してその液晶パネル１０に画像１４０を表示する。
【００３６】
図４の（ｂ）に示されるように、液晶表示装置１Ａには画像１３０が表示され、液晶表示装置１Ｂには像１４０が表示される。また、液晶表示装置１Ａおよび液晶表示装置１Ｂのいずれの液晶パネル１０においても、輝度ばらつき部１２Ａは、それぞれの液晶パネル１０の両端部に位置する。輝度ばらつき部１２Ａは、上記第一の設定値を決めたときのそれと同程度である。
【００３７】
このように、二つの液晶表示装置１Ａ、１Ｂのそれぞれの液晶パネルに独立して画像を表示する場合でも、表示画面１１０では、画像１３０および画像１４０のそれぞれに対して十分に離れた位置に輝度ばらつき部１２Ａが位置する。このため、表示画面１１０における二画像の表示においても、対向電極への電圧の印加による輝度のばらつきの表示不良が実質的に問題とならない。
【００３８】
このように、上記実施形態では、上記液晶パネルの面内の複数個所（５箇所）で最適化したときのそれぞれの対向電極へ印加する電圧値（ＶＣＯＭ）を設定値として液晶表示装置に収納している。そして、上記液晶表示装置が、上記電子装置の表示画面において配置される箇所に応じてＶＣＯＭを使い分ける。
【００３９】
たとえば、二つの液晶パネルを合わせて一つの表示画面とする場合では、当該表示画面の中央にフリッカを合わせる。そして、上記ＶＣＯＭには、紙面に対して左側の液晶表示装置１Ａでは上記第三の設定値を用い、紙面に対して右側の液晶表示装置１Ｂでは上記第二の設定値を用いる。上記輝度のばらつきは、上記表示画像の両端部に位置するため、実用上問題にならない。
【００４０】
また、例えば、二つの液晶パネルのそれぞれを独立する一つの画面（表示画面全体で二画面）とする場合では、液晶表示装置１Ａ、１Ｂともに上記フリッカを個々の表示画面の中央に合わせる。そして、上記ＶＣＯＭには、液晶表示装置１Ａ、１Ｂのいずれにも上記第一の設定値を用いる。上記輝度のばらつきは、各表示画像の両端部にそれぞれ位置するため、実用上問題にならない。
【００４１】
二つの液晶表示装置による２パネル１画面の中央にフリッカをあわせるのか、各液晶パネルの中央に合せるのかの選択は、表示するコンテンツ（画像）に応じて自動で切り替えることが可能であり、あるいはコマンドで切り替えることが可能である。
【００４２】
〔実施形態２〕
本発明の他の実施形態について、以下に説明する。なお、説明の便宜上、上記実施形態にて説明した部材と同じ機能を有する部材については、同じ符号を付記し、その説明を繰り返さない。図５の（ａ）は、実施形態２に係る電子装置の主な構造を模式的に示す図であり、図５の（ｂ）は、上記電子装置における主なブロック間の関係を模式的に示すブロック図である。
【００４３】
電子装置２００は、図５の（ａ）および図５の（ｂ）に示されるように、表示画面２１０とＣＰＵ１２０とを有している。電子装置２００は、例えば、ノート型ＰＣである。表示画面２１０は、縦横二個ずつ配置された四つの液晶表示装置１Ａ、１Ｂ、１Ｃ、１Ｄによって構成されている。液晶表示装置１Ａ、１Ｂ、１Ｃ、１Ｄは、いずれも、前述した液晶表示装置１と同じであり、前述した第一から第五の設定値を有している。ＣＰＵ１２０は、画像の表示に際して、液晶表示装置１Ａ、１Ｂ、１Ｃ、１Ｄのそれぞれに前述した画像入力信号を入力する。
【００４４】
以下、電子装置２００における画像の表示形態を説明する。図６の（ａ）は、電子装置２００における画像の第一の表示例を模式的に示す図であり、図６の（ｂ）は、電子装置２００における画像の第二の表示例を模式的に示す図であり、図６の（ｃ）は、電子装置２００における画像の第三の表示例を模式的に示す図である。
【００４５】
上記第一の表示例では、ＣＰＵ１２０は、液晶表示装置１Ａ、１Ｂ、１Ｃ、１Ｄに、表示画面２１０における位置を表す信号と、表示すべき画像１３０、１４０の信号とを、上記画像入力信号として送信する。液晶表示装置１Ａ、１Ｂ、１Ｃ、１Ｄの制御部２０は、上記画像入力信号を受けて、上記第一の設定値から第五の設定値の中から、最適な設定値を決める。
【００４６】
たとえば、液晶表示装置１Ａの制御部２０と液晶表示装置１Ｂの制御部２０は、上記画像表示信号を受けて、第五の基準点１１Ｅを選択し、ＶＣＯＭとして上記第五の設定値を決定する。また、液晶表示装置１Ｃの制御部２０と液晶表示装置１Ｄの制御部２０は、上記画像表示信号を受けて、第四の基準点１１Ｄを選択し、ＶＣＯＭとして上記第四の設定値を決定する。
【００４７】
図６の（ａ）に示されるように、画像１３０は、表示画面２１０の左半分に、液晶表示装置１Ａ液晶パネルと液晶表示装置１Ｃの液晶パネルとに跨って形成される。画像１４０は、表示画面２１０の右半分に、液晶表示装置１Ｂの液晶パネルと液晶表示装置１Ｄの液晶パネルとに跨って形成される。
【００４８】
液晶表示装置１Ａおよび液晶表示装置１Ｂの両液晶パネルにおける輝度ばらつき部１２Ｅは、表示画面２１０の一側部（上側）に位置する。液晶表示装置１Ｃおよび液晶表示装置１Ｄの両液晶パネルにおける輝度ばらつき部１２Ｄは、表示画面２１０の他側部（下側）に位置する。輝度ばらつき部１２Ｄ、１２Ｅは、上記第四、第五の設定値を決めたときのそれらと同程度である。
【００４９】
このように、上記第一の表示例では、表示画面２１０において、画像１３０、１４０のそれぞれに対して十分に離れた位置に輝度ばらつき部１２Ｄ、１２Ｅが位置する。このため、表示画面２１０における上記の画像１３０、１４０の表示において、対向電極への電圧の印加による輝度のばらつきの表示不良は実用上問題とならない。
【００５０】
上記第二の表示例では、ＣＰＵ１２０は、液晶表示装置１Ａ、１Ｂ、１Ｃ、１Ｄに、表示画面２１０における位置を表す信号と、表示すべき画像１３０、１３０、１４０の信号とを、上記画像入力信号として送信する。液晶表示装置１Ａ、１Ｂ、１Ｃ、１Ｄの制御部２０は、上記画像入力信号を受けて、上記第一の設定値から第五の設定値の中から、最適な設定値を決める。
【００５１】
たとえば、液晶表示装置１Ａの制御部２０は、上記画像表示信号を受けて、第三の基準点１１Ｃを選択し、ＶＣＯＭとして上記第三の設定値を決定する。また、液晶表示装置１Ｂの制御部２０は、上記画像表示信号を受けて、第二の基準点１１Ｂを選択し、ＶＣＯＭとして上記第二の設定値を決定する。また、液晶表示装置１Ｃの制御部２０と液晶表示装置１Ｄの制御部２０は、上記画像表示信号を受けて、第一の基準点１１Ａを選択し、ＶＣＯＭとして上記第一の設定値を決定する。
【００５２】
図６の（ｂ）に示されるように、画像１３０は、表示画面２１０の上半分に、液晶表示装置１Ａおよび液晶表示装置１Ｂの両液晶パネルに跨って形成される。また、液晶表示装置１Ｃは、画像１４０を表示し、液晶表示装置１Ｄは、画像１３０を表示する。
【００５３】
表示画面２１０の上半分では、輝度ばらつき部１２Ｂ、１２Ｃがその両端部に位置する。また、表示画面２１０の下半分において、液晶表示装置１Ｃ、１Ｄでは、その中央部に表示される画像１４０、１３０に対してその両端部に輝度ばらつき部１２Ａが位置する。輝度ばらつき部１２Ａ、１２Ｂおよび１２Ｃは、上記第一、第二および第三の設定値を決めたときのそれらと同程度である。
【００５４】
このように、上記第二の表示例では、表示画面２１０において、画像１３０、１３０、１４０のそれぞれに対して十分に離れた位置に輝度ばらつき部１２Ａ、１２Ｂ、１２Ｃが位置する。このため、表示画面２１０における上記の画像１３０、１３０、１４０の表示において、対向電極への電圧の印加による輝度のばらつきの表示不良は実用上問題とならない。
【００５５】
上記第三の表示例では、ＣＰＵ１２０は、液晶表示装置１Ａ、１Ｂ、１Ｃ、１Ｄに、表示画面２１０における位置を表す信号と、表示すべき画像１３０、１３０、１４０の信号とを、上記画像入力信号として送信する。液晶表示装置１Ａ、１Ｂ、１Ｃ、１Ｄの制御部２０は、上記画像入力信号を受けて、上記第一の設定値から第五の設定値の中から、最適な設定値を決める。
【００５６】
たとえば、液晶表示装置１Ａの制御部２０は、上記画像表示信号を受けて、第五の基準点１１Ｅを選択し、ＶＣＯＭとして上記第五の設定値を決定する。また、液晶表示装置１Ｂの制御部２０および液晶表示装置１Ｄの制御部２０は、上記画像表示信号を受けて、第一の基準点１１Ａを選択し、ＶＣＯＭとして上記第一の設定値を決定する。さらに、液晶表示装置１Ｃの制御部２０は、上記画像表示信号を受けて、第四の基準点１１Ｄを選択し、ＶＣＯＭとして上記第四の設定値を決定する。
【００５７】
図６の（ｃ）に示されるように、画像１３０は、表示画面２１０の左半分に、液晶表示装置１Ａおよび液晶表示装置１Ｃの両液晶パネルに跨って形成される。また、液晶表示装置１Ｂは、画像１３０を表示し、液晶表示装置１Ｄは、画像１４０を表示する。
【００５８】
表示画面２１０の左半分では、輝度ばらつき部１２Ｅ、１２Ｄがその両側（上下端）部に位置する。また、表示画面２１０の右半分において、液晶表示装置１Ｂ、１Ｄでは、その中央部に表示される画像１３０、１４０に対してその両端部に輝度ばらつき部１２Ａが位置する。輝度ばらつき部１２Ａ、１２Ｄおよび１２Ｅは、上記第一、第四および第五の設定値を決めたときのそれらと同程度である。
【００５９】
このように、上記第三の表示例でも、表示画面２１０において、画像１３０、１３０、１４０のそれぞれに対して十分に離れた位置に輝度ばらつき部１２Ａ、１２Ｄ、１２Ｅが位置する。このため、表示画面２１０における上記の画像１３０、１３０、１４０の表示において、対向電極への電圧の印加による輝度のばらつきの表示不良は実用上問題とならない。
【００６０】
このように、本実施形態でも、上記液晶パネルの面内の複数個所（５箇所）で最適化したときのそれぞれのＶＣＯＭを設定値として液晶表示装置に収納している。そして、上記液晶表示装置が、上記電子装置の表示画面において配置される箇所に応じてＶＣＯＭを使い分ける。
【００６１】
四つの液晶パネルで構成される表示画面は、前述したように、独立する複数の画面として利用され得る。このような種々の利用態様においても、対向電極へ電圧の印加による表示不良（輝度のばらつき）は、表示される画像から十分に離れて位置するため、実用上問題にならない。
【００６２】
本実施形態においても、四つの液晶表示装置による表示画面の中心をどこに合わせるか、は、表示する画像に応じて自動で切り替えることが可能であり、あるいはコマンドで切り替えることが可能である。
【００６３】
〔実施形態３〕
本発明の他の実施形態について、以下に説明する。なお、説明の便宜上、上記実施形態にて説明した部材と同じ機能を有する部材については、同じ符号を付記し、その説明を繰り返さない。図７の（ａ）は、実施形態３に係る電子装置の主な構造を模式的に示す図であり、図７の（ｂ）は、上記電子装置の第一の構造例を模式的に示す図であり、図７の（ｃ）は、上記電子装置の第二の構造例を模式的に示す図である。
【００６４】
電子装置３００は、図７の（ａ）に示されるように、表示画面３１０と不図示のＣＰＵとを有している。表示画面３１０は、二つの液晶表示装置１、すなわち液晶表示装置１Ａおよび液晶表示装置１Ｂ、によって構成されている。表示画面３１０は、例えば図７の（ｂ）に示されるように、互いに脱着自在な液晶表示装置１Ａおよび液晶表示装置１Ｂの合体によって構成される。あるいは、表示画面３１０は、例えば図７の（ｃ）に示されるように、不図示のヒンジ部によって互いに回動自在に連結された液晶表示装置１Ａおよび液晶表示装置１Ｂの回動によって構成される。また、液晶表示装置１Ａおよび液晶表示装置１Ｂの一方または両方は、タッチパネル機能をさらに有している。
【００６５】
上記ＣＰＵは、例えば、液晶表示装置１Ａ、１Ｂの制御部２０に含まれる。上記ＣＰＵは、ＣＰＵ１２０と同様に独立して制御部２０に含まれてもよいし、制御部２０中の他の構成と一部または全部を共有する構成を有していてもよい。
【００６６】
電子装置３００は、例えば、液晶表示装置１Ａおよび液晶表示装置１Ｂの合体または回動によって起動する。以下、電子装置３００における画像の表示形態を説明する。図８の（ａ）は、電子装置３００における画像の第一の表示例を模式的に示す図であり、図８の（ｂ）は、電子装置３００における画像の第二の表示例を模式的に示す図である。
【００６７】
上記ＣＰＵは、例えば起動時に、液晶表示装置１Ａ、１Ｂに、表示画面３１０における位置を表す信号と、表示すべき画像１４０、１５０の信号とを、上記画像入力信号として送信する。液晶表示装置１Ａ、１Ｂの制御部２０は、上記画像入力信号を受けて、上記第一の設定値から第五の設定値の中から、最適な設定値を決める。なお、画像１５０は、操作用の画像であり、例えば、複数の配列するキーの画像である。
【００６８】
液晶表示装置１Ａの制御部２０と液晶表示装置１Ｂの制御部２０は、上記画像表示信号を受けて、第一の基準点１１Ａを選択し、ＶＣＯＭとして上記第一の設定値を決定する。液晶表示装置１Ａおよび液晶表示装置１Ｂの両液晶パネルにおける輝度ばらつき部１２Ａは、図８の（ａ）に示されるように、表示画面３１０における各液晶表示装置の両端部に位置する。輝度ばらつき部１２Ａは、上記第一の設定値を決めたときのそれと同程度である。このため、表示画面３１０における上記の画像１４０、１５０の表示において、対向電極への電圧の印加による輝度のばらつきの表示不良は実用上問題とならない。
【００６９】
なお、この形態では、使用者は、画像１５０のキーでコマンドを入力し、その結果を画像１４０として表示することができる。すなわち、上記第一の例では、電子装置３００は、ノート型ＰＣのように機能する。
【００７０】
また、表示画面３１０で一つの画像１３０を表示する場合には、上記ＣＰＵは、液晶表示装置１Ａ、１Ｂのいずれの制御部２０にも、表示画面３１０における位置を表す信号と、表示すべき画像１３０の信号とを、上記画像入力信号として送信する。上記画像表示信号を受けて、液晶表示装置１Ａの制御部２０は、第五の基準点１１Ｅを選択してＶＣＯＭとして上記第五の設定値を決定し、液晶表示装置１Ｂの制御部２０は、第四の基準点１１Ｄを選択してＶＣＯＭとして上記第四の設定値を決定する。
【００７１】
液晶表示装置１Ａおよび液晶表示装置１Ｂの両液晶パネルにおける輝度ばらつき部１２Ｄ、１２Ｅは、図８の（ｂ）に示されるように、表示画面３１０の両側部（上下側）に位置する。輝度ばらつき部１２Ｄおよび１２Ｅは、上記第四および第五の設定値を決めたときのそれらと同程度である。このため、表示画面３１０における上記の画像１３０の表示において、対向電極への電圧の印加による輝度のばらつきの表示不良は実用上問題とならない。
【００７２】
上記いずれの実施形態の電子装置においても、液晶表示装置１は、表示画面を構成するためのモジュールとなっている。実施形態１、２の電子装置１００、２００は、例えば、液晶表示装置１を上記モジュールとして出荷し、出荷先でＰＣ用の筐体に組み込むことによって、２画面ディスプレイまたは４画面ディスプレイのＰＣセットとして構成され得る。また、実施形態３の電子装置３００は、二つの液晶表示装置１を上記モジュールとして出荷し、出荷先でこれらを着脱自在または回動自在に連結することによって構成され得る。
【００７３】
〔変形例〕
本発明の実施形態は、前述した本実施形態における効果が得られる範囲において、さらなる実施形態を含んでいてよい。
【００７４】
例えば、本実施の形態では、五つの基準点に基づく五つの設定値が用いられているが、基準点の位置は、他の位置であってもよく、設定値も、当該基準点に基づく他の値であってもよい。たとえば、上記基準点は、液晶表示装置の液晶パネルにおける四隅を含んでいてもよく、上記設定値は、当該四隅の基準点に基づく値を含んでいてもよい。
【００７５】
また、上記画像入力信号は、上記設定値を選択させるコマンドを含んでもよい。上記画像入力信号は、電子装置の使用者の指示によってＣＰＵから出力させることが可能である。それにより、表示画面中の輝度ばらつき部の位置を任意に変えることが可能となる。よって、表示画面中の画像の位置以外にも、上記使用者の見易さの観点から輝度ばらつき部の位置を決めることが可能となり、上記使用者の利便性の向上が図られる。
【００７６】
また、上記実施形態では、ＶＣＯＭは、表示すべき画像の中心部と上記基準点との距離に基づいて決められているが、他の方法によって、あるいは他の方法を併用して決めてもよい。当該他の方法の例には、表示すべき画像に対して輝度ばらつき部が占める面積の割合を小さくするようにＶＣＯＭを決める方法、が含まれる。このような他の方法またはその併用によれば、輝度ばらつき部が画像へ実質的に影響を及ぼさない範囲において、他の設定値が選択され得る。たとえば、図４の（ｂ）に示される液晶表示装置１Ｂでは、実用上の問題がない画像の表示の範囲において、第一の基準点１１Ａに代えて第四の基準点１１Ｄが選択され得る。その結果、輝度ばらつき部Ａに代えて、当該液晶パネルにおける他側側（輝度ばらつき部１２Ｄ、紙面に対して下側）に位置する輝度ばらつき部１Ｄが選択されることがあり得る。
【００７７】
また、本実施形態において、上記対向電極は、共通電極であるが、他の形態であってもよい。たとえば、上記対向電極は、面内応答（ＩＰＳ）型の液晶パネルのように、個々の画素電極に対応して画素ごとに形成されていてもよい。上記対向電極には、所定の設定値での電圧が印加されればよい。
【００７８】
また、本実施の形態では、液晶表示装置の制御部が上記画像入力信号に基づいて上記設定値の一つを選択するための演算部をさらに有しているが、上記演算部は、上記電子装置が有していてもよい。この場合、上記ＣＰＵは、上記設定値を表す信号を対応する信号を上記画像形成信号にさらに含んでいてよいし、あるいは、上記演算部による上記設定の演算済みの信号を上記画像形成信号として上記制御部に送信してもよい。
【００７９】
また、上記実施形態では、上記画像入力信号が上記表示画面における液晶パネル（液晶表示装置）の位置を表す信号を含むが、上記画像入力信号は上記信号を含んでいなくてもよい。この場合、上記信号は、上記画像入力信号としてＣＰＵから画像の信号とともに送られてもよい。あるいは、上記の場合、上記液晶表示装置の制御部には、表示画面中における当該液晶表示装置位置が、その液晶表示装置固有の情報として、予め入力されていてもよい。
【００８０】
〔まとめ〕
本発明の実施の形態に係る液晶表示装置は、画素電極および対向電極を有する液晶パネルと、上記対向電極への印加電圧の複数の設定値を記憶するための記憶部と、上記複数の設定値から選択された上記設定値の電圧を上記対向電極に印加するための駆動部とを含む。そして、上記設定値は、上記液晶パネルの一部位を基準としたときの上記対向電極への電圧の印加による上記液晶パネルにおける輝度のばらつきが上記液晶パネルにおける上記一部位から離れた端部または側部に現れる上記印加電圧の値である。
【００８１】
上記の構成によれば、複数の液晶パネルで表示画面を構成する場合においても電位差による表示不良を実質的に抑制することが可能となる。
【００８２】
また、上記設定値は、上記液晶パネルの中心部を基準としたときの上記輝度のばらつきが上記液晶パネルの両端部に現れる第一の設定値と、上記液晶パネルの一端部の中心部を基準としたときの上記輝度のばらつきが上記液晶パネルの他端部に現れる第二の設定値と、上記液晶パネルの他端部の中心部を基準としたときの上記輝度のばらつきが上記液晶パネルの一端部に現れる第三の設定値と、上記液晶パネルの一側部の中心部を基準としたときの上記輝度のばらつきが上記液晶パネルの他側部に現れる第四の設定値と、上記液晶パネルの他側部の中心部を基準としたときの上記輝度のばらつきが上記液晶パネルの一側部に現れる第五の設定値とを含んでいてもよい。
【００８３】
上記の構成によれば、様々な液晶パネルの組み合わせで構成される画面に表示される画像に対して十分に離れた位置に上記輝度ばらつき部を位置させる観点からより一層効果的である。
【００８４】
また、上記対向電極が共通電極であることは、液晶パネルにおいて、どの画素にも一律の電圧が印加される対向電極を簡易に構成する観点からより一層効果的である。
【００８５】
また、上記液晶表示装置は、上記入力される信号に基づいて上記設定値の一つを選択するための演算部をさらに有していてよい。この構成によれば、複数の液晶パネルによって表示画面を構成する電子装置の組み立てを容易にする観点、および、当該電子装置の構造における液晶表示装置以外の構造を簡略化する観点、からより一層効果的である。
【００８６】
また、上記入力される信号が、上記液晶パネルが構成すべき画面における上記液晶パネルの位置を表す信号を含むことは、各液晶パネルにおける上記設定値を選択する場合の的確さを高める観点からより一層効果的である。たとえば、タブレットの表示画面のように縦横比が変わる表示画面においてもその有効性が十分に発現されることが期待される。
【００８７】
また、上記入力される信号が上記設定値を選択させるコマンドを含むことは、液晶表示装置を有する電子装置の使用者の利便性を高める観点からより一層効果的である。
【００８８】
また、本実施の形態の電子装置は、上記液晶表示装置と、上記液晶表示装置に上記入力される信号を送るための中央処理装置とを有する。上記の構成によれば、複数の液晶パネルで表示画面を構成する場合においても電位差による表示不良を実質的に抑制することが可能である。
【００８９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９０】
１、１Ａ〜１Ｄ  液晶表示装置
１０  液晶パネル
１１Ａ  第一の基準点
１１Ｂ  第二の基準点
１１Ｃ  第三の基準点
１１Ｄ  第四の基準点
１１Ｅ  第五の基準点
１２Ａ〜１２Ｅ  輝度ばらつき部
２０  制御部
１００、２００、３００  電子装置
１１０、２１０、３１０  表示画面
１２０  中央処理装置（ＣＰＵ）
１３０、１４０、１５０  画像
【図１】
2019070770.tif 000003
【図２】
2019070770.tif 000004
【図３】
2019070770.tif 000005
【図４】
2019070770.tif 000006
【図５】
2019070770.tif 000007
【図６】
2019070770.tif 000008
【図７】
2019070770.tif 000009
【図８】
2019070770.tif 000010